(57)【要約】      （修正有）【課題】被施療者の頭部と枕部との接触面を変更することなく、被施療者の身長（座高）に適した高さに枕部を移動させることができるマッサージ機を提供することを目的とする。【解決手段】被施療者の身体を支持する背凭れ部３と、被施療者の頭部を支持する枕部５と、前記枕部５を支持する枕支持手段２６と、を有し、前記枕部５は、前記背凭れ部３に対して身長方向に移動可能に構成され、前記枕支持手段２６は、前記枕部５を前記背凭れ部上端よりも上部に位置させて後方から支持する。【選択図】図１
2017113251.tif 000002
【特許請求の範囲】
【請求項１】
背凭れ部と、枕部と、枕支持手段と、を有し、
前記枕部は、前記背凭れ部に対して身長方向に移動可能に構成され、
前記枕支持手段は、前記枕部を背凭れ部上端よりも上部に位置させて後方から支持することを特徴とするマッサージ機。
【請求項２】
前記枕支持手段は、前記背凭れ部の天面に位置していることを特徴とする請求項１に記載のマッサージ機。
【請求項３】
前記枕支持手段は、前記背凭れ部と前記枕部との間に位置していることを特徴とする請求項１又は２に記載のマッサージ機。
【請求項４】
前記枕支持手段は、エアセルにより構成されていることを特徴とする請求項１〜３のいずれかに記載のマッサージ機。
【請求項５】
前記枕支持手段は、伸縮機構により構成されていることを特徴とする請求項１〜３のいずれかに記載のマッサージ機。
【請求項６】
前記枕支持手段は、着脱自在に構成されていることを特徴とする請求項１〜５のいずれかに記載のマッサージ機。
【請求項７】
被施療者の体型を検出する検出手段を備え、
前記検出手段によって検出した被施療者の体型に応じて前記枕支持手段を駆動させることにより前記枕部を移動させることができる請求項１〜６のいずれかに記載のマッサージ機。
【請求項８】
被施療者を施療する施療機構を備え、
前記施療機構の施療動作に合わせて、前記枕支持手段を駆動させることを特徴とする請求項１〜７のいずれかに記載のマッサージ機。
【発明の詳細な説明】
【技術分野】
【０００１】
本発明はマッサージ機に関する。より詳しくは、被施療者の頭部と枕部との接触面を変更することなく、身長（座高）に適した高さに枕部を移動させることができるマッサージ機に関する。
【背景技術】
【０００２】
従来、背凭れ部の上部に位置するヘッド部を回動自在としてなるマッサージ機が知られている。このマッサージ機は、ヘッド部の位置を調整することで施療子と施療部位のあたり加減を調整することができる。（例えば、特許文献１の図２、８参照）。
【先行技術文献】
【特許文献】
【０００３】
【特許文献１】特開平８−３０８９００号公報
【発明の概要】
【発明が解決しようとする課題】
【０００４】
しかし、上記特許文献１のマッサージ機は、ヘッド部と被施療者の頭部との接触面を変更することでヘッド部の位置調整を行うため、位置調整に対応するために、あらかじめヘッド部の前後方向の厚みを大きくしておく必要があり、位置調整が不要な（背の低い）施療者が使用する場合には、首部がヘッド部の厚みにより前傾してしまい、リラックスした状態でマッサージを受けることができないという問題がある。
【０００５】
そこで本発明は、上述した問題を解消するためになされたものであり、被施療者の頭部と枕部との接触面を変更することなく、身長（座高）に適した高さに枕部を移動させることができるマッサージ機を提供することを目的とする。
【課題を解決するための手段】
【０００６】
本発明は、背凭れ部と、枕部と、枕支持手段と、を有し、前記枕部は、前記背凭れ部に対して身長方向に移動可能に構成され、前記枕支持手段は、前記枕部を背凭れ部上端よりも上部に位置させて後方から支持することを特徴とする。
このような構成とすることにより、被施療者の頭部と枕部との接触面を変更することなく、身長（座高）に適した高さに枕部を移動させることができる。
【０００７】
また、前記枕支持手段は、前記背凭れ部の天面に位置していることが好ましい。
このような構成とすることにより、被施療者の頭部と枕部との接触面を変更することなく、身長（座高）に適した高さに枕部を移動させることができる。
【０００８】
また、前記枕支持手段は、前記背凭れ部と前記枕部との間に位置していることが好ましい。
このような構成とすることにより、被施療者の頭部と枕部との接触面を変更することなく、身長（座高）に適した高さに枕部を移動させることができる。
【０００９】
また、前記枕支持手段は、エアセルにより構成されていることが好ましい。
このような構成とすることにより、被施療者の頭部と枕部との接触面を変更することなく、身長（座高）に適した高さに枕部を移動させることができる。
【００１０】
また、前記枕支持手段は、伸縮機構により構成されていることが好ましい。
このような構成とすることにより、被施療者の頭部と枕部との接触面を変更することなく、身長（座高）に適した高さに枕部を移動させることができる。
【００１１】
また、前記枕支持手段は、着脱自在に構成されていることが好ましい。
このような構成とすることにより、被施療者の頭部と枕部との接触面を変更することなく、身長（座高）に適した高さにあった枕部支持手段を使用することができる。
【００１２】
また、被施療者の体型を検出する検出手段を備え、前記検出手段によって検出した被施療者の体型に応じて前記枕支持手段を駆動させることにより前記枕部を移動させることが好ましい。
このような構成とすることにより、被施療者の体型に合わせて枕部を移動させることで、自動で被施療者の身長（座高）に合った高さに枕部の位置を調整することができる。
【００１３】
また、被施療者を施療する施療機構を備え、前記施療機構の施療動作に合わせて、前記枕支持手段を駆動させることが好ましい。
このような構成とすることにより、施療動作に合わせて枕部を移動させることで、体感の強い施療をすることができる。
【発明の効果】
【００１４】
本発明によれば、被施療者の頭部と枕部との接触面を変更することなく、身長（座高）に適した高さに枕部を移動させることができる。
【図面の簡単な説明】
【００１５】
【図１】本発明の一実施形態に係るマッサージ機の斜視図である。
【図２】（ａ）は支持部の斜視図であり、（ｂ）は支持部の正面図であり、（ｃ）は支持部の側面図である。
【図３】枕支持手段がエアセルで構成されたことを示す図であり、（ａ）は、枕部を背凭れ部上端よりも下部に位置させた状態を示す側面図であり、（ｂ）は、枕部を背凭れ部上端よりも上部に位置させた状態を示す側面図である。
【図４】背凭れ部天面が枕支持手段によって移動することを示す図であり、（ａ）は、移動前を示す側面図であり、（ｂ）は、移動後を示す側面図である。
【図５】枕支持手段が伸縮機構で構成されたことを示す図であり、（ａ）は、収縮状態を示す側面図であり、（ｂ）は、伸張状態を示す側面図である。
【図６】伸縮機構の拡大図であり、（ａ）は収縮状態を示す斜視図であり、（ｂ）は伸張状態を示す斜視図である。
【図７】枕支持手段が着脱自在に構成されたことを示す図であり、（ａ）は、装着状態を示す側面図であり、（ｂ）は、外した状態を示す側面図である。
【図８】被施療者の身長に合った高さに枕部を移動させた状態を示す図であり、（ａ）は、身長が低い施療者を示す側面図であり、（ｂ）は、身長が高い施療者を示す側面図である。
【図９】施療機構の施療動作に合わせて枕部が移動することを示す図であり、（ａ）は、施療機構が首部に位置する前の状態を示す側面図であり、（ｂ）は、施療機構が首部に位置した状態を示す側面図である。
【発明を実施するための形態】
【００１６】
［全体構成］
以下、本発明の一実施形態に係るマッサージ機の全体構成について説明する。
なお、以下の説明で用いる方向の概念は、図１に示す起立状態にあるマッサージ機１に着座した被施療者から見たときの方向の概念と一致するものとし、左手側が「左」であり、右手側が「右」であり、頭部側が「上」であり、腰部側が「下」であり、その他の場合は適宜説明するものとする。
【００１７】
［マッサージ機の全体構成］
図１に示す通り、本発明のマッサージ機１は、主として、被施療者が着座する座部２と座部２の後部にリクライニング可能に設けられた被施療者が凭れる背凭れ部３と、背凭れ部３の内部に昇降自在に設けられた施療機構４と、背凭れ部３に設けられた被施療者の頭部を支持する枕部５と、座部２の前部に上下揺動可能に設けられた被施療者の脚部及び足部を支持するフットレスト６と、座部２の左右両側に設けられた被施療者が腕部を載置する肘掛部７と、座部２を支持するとともに床面に設置される脚フレーム８と、を有している。そして、座部２や背凭れ部３などの被施療者の身体を支持する身体支持部９の各所には、被施療者を施療するための施療部１０が設けられている。
【００１８】
［枕部の構成］
図１〜５に示す通り、前記マッサージ機１は、被施療者の頭部を支持するための枕部５を有しており、少なくとも被施療者の頭部を支持することができるカバー部材（図示せず）によって覆われた支持部１１と、前記支持部１１が取付けられた支持部用パッド１２と前記支持部１１に設けられ被施療者の被施療部を押圧することができる施療部としてのエアセル１３とにより、主として構成されており、支持部用パッド取付部１８を介して前記背凭れ部３に取付けられている。
【００１９】
具体的には、前記支持部１１は、その左右中央に位置し首部及び頭部を支持する中央部１９と、前記中央部１９の左右両側であって肩部の上方に位置する左右対の側部２０、２１とにより構成されており、前記中央部１９と両側部２０、２１は、左右方向に連続して一体に構成されている。
【００２０】
前記中央部１９は、頭部における下部分、及び／又は首部を支持可能な下部支持面２２と、頭部における上部分を支持可能な上部支持面２３と、前記下部支持面２２の下端部から後方に向かって立設され、肩部の上面に対向する対向面２４とを有しており、前記上部支持面２３は、前記上部支持面２３の少なくとも一部が前記下部支持面２２よりも後方に位置するように構成されている。具体的には、前記上部支持面２３は、前記下部支持面２２の上端部から上方に向かって連続しており、下方から上方に向かうにつれて後方に傾斜するよう構成されており、全体として左右方向に長く前方から見て略台形状に形成されている。
【００２１】
前記中央部１９は、前記下部支持面２２に、頭部を後方から前方へ向けて押圧する第一エアセル１４、１５を有し、その対向面２４に、首部を上方乃至外側方から押圧する第二エアセル１６、１７を有している。具体的には、前記下部支持面２２に設けられた前記第一エアセル１４、１５は、前記枕部５の左右方向における中心線を挟んで、左右に対をなして構成されており、前記対向面２４に設けられた前記第二エアセル１６、１７は、前記中心線を挟んで、左右に対をなして構成されている。なお、前記第一エアセル１４、１５及び前記第二エアセル１６、１７は、それぞれ独立して膨張収縮可能に構成されている。
【００２２】
［支持部用パッドの構成］
また、前記支持部１１は、上下左右方向に延設された可撓性を有するレザー等よりなる支持部用パッド１２に取付けられている。なお、前記支持部１１の取付位置は、前記支持部用パッド１２の上方であってもよく、下方であってもよい。また、前記支持部用パッド１２の一端は、前記支持部用パッド取付部１８の一端に対して取付けられており、前記支持部用パッド取付部１８の他端は、前記背凭れ部３に取付けられている。なお、前記支持部用パッド取付部１８は、前記背凭れ部３に対して着脱自在に構成されていてもよい。
【００２３】
［枕支持手段の構成］
図３、５に示す通り、前記支持部用パッド１２と背パッド２５との間には、前記枕部５を前記背凭れ部３に対して身長方向に移動させるための枕支持手段２６が設けられており、前記枕支持手段２６は前記枕部５を後方から支持している。
前記枕支持手段２６を駆動させることによって、前記支持部用パッド１２の後端部を基点として前記枕部５が持ち上げられ、前記支持部用パッド１２と前記枕支持手段２６とが当接することで前記枕部５を後方から支持することができ、前記枕部５の少なくとも一部を前記背凭れ部上端よりも上部に位置させることができるように構成されている。
【００２４】
また、枕支持手段２６は前記背凭れ部３の内部に設けられていてもよい。図４に示す通り、前記背凭れ部内部には、前記枕部５を前記背凭れ部３に対して身長方向に移動させるための枕支持手段２６（例えば、バネ２９）が設けられており、前記枕支持手段２６は、前記枕部５を下方から支持している。そして、前記枕支持手段２６を使用することによって、前記背凭れ部３の上面全体が上下移動し、前記枕部５全体が持ち上げられ、前記枕部５の少なくとも一部を前記背凭れ部上端よりも上部に位置させることができるように構成されている。
【００２５】
なお、前記枕支持手段２６については、前記枕部５を後方または下方から支持し、前記枕部５の少なくとも一部を前記背凭れ部上端よりも上部に位置させることができるものであれば、どのような構成であってもよく、機械式またはエアセルのいずれの構成であってもよい。
【００２６】
また、前記枕支持手段２６は、前記背凭れ部３の天面又は背凭れ部に設けられた前記背パッド２５の天面に位置していてもよい。そのように構成することで、前記枕支持手段２６を設けるためのスペースを別途確保する必要がないため、複雑な構造や被施療者の頭部と前記枕部５との接触面を変更することなく、被施療者の身長（座高）に適した高さに合わせることができる。
【００２７】
また、前記枕支持手段２６は、前記背パッド２５と前記枕部５との間に位置していてもよい。前記背パッド２５と前記枕部５との間に位置させることで、前記枕支持手段２６を設けるためのスペースを別途確保する必要がないため、複雑な構造や被施療者の頭部と前記枕部５との接触面を変更することなく、被施療者の身長（座高）に適した高さに合わせることができる。
【００２８】
また、図３に示す通り、前記枕支持手段２６は、エアセルにより構成されていてもよい。エアセルで構成することにより、低コストで複雑な構造を要せず、また、被施療者の頭部と前記枕部５との接触面を変更することなく、スムーズに被施療者の身長（座高）に適した高さに合わせることができる。
【００２９】
［伸縮機構］
また、図５、６に示す通り、前記枕支持手段２６は、伸縮機構２７により構成されていてもよい。伸縮機構２７で構成することにより、被施療者の頭部と前記枕部５との接触面を変更することなく、スムーズに被施療者の身長（座高）に適した高さに合わせることができる。
【００３０】
前記伸縮機構２７は、略四角形の上下方向に伸縮するテレスコピック機構により構成されており、前記枕部５の高さを三段階で調整することができるようになっている。なお、段階調整については、三段階調整でなくてもよく、無段階調整であってもよい。また、図示しないが、ロック機構を設けることにより、前記枕部５を調整後の高さで保持することができる。
【００３１】
また、図３に示す通り、前記枕支持手段２６は、前記枕部５の少なくとも一部を前記背凭れ部上端よりも上部に位置させることができるように、前記支持部用パッド取付部１８の下方に挿入されている。また、着脱自在に構成されていてもよく、着脱自在に構成することにより、被施療者の頭部と前記枕部５との接触面を変更することなく、手動で被施療者自身が被施療者の身長（座高）に適した高さに合った前記枕支持手段２６を選択することができる。
【００３２】
また、前記マッサージ機１は、被施療者の体型（例えば、肩位置）を検出するための検出手段２８を備えていてもよい。前記検出手段２８は、前記施療機構４に設けられており、前記検出手段２８によって検出した被施療者の肩位置に基づき、被施療者の首部の位置を算出し、前記枕支持手段２６を駆動させることにより、前記枕部５を自動で被施療者の身長（座高）に適した高さに合わせることができる。そのように構成することにより、前記枕部５を使用しながら被施療者の首部をマッサージすることができる。なお、検出手段については、光センサーや感圧センサーなど、被施療者の体型を検出できるものであれば、どのようなものでもよい。
【００３３】
また、図９に示す通り、前記施療機構４の施療動作に合わせて前記枕支持手段２６を駆動させてもよい。このような構成とすることにより、被施療者の首部をマッサージするために、前記枕部５を被施療者の頭部と接触しない位置まで手動で移動させる手間をかけることなく、被施療者の首部をしっかりとマッサージすることができる。
【００３４】
また、家電量販店などの販売現場においては、首部をマッサージする際、前記枕部５を前記背凭れ部３の背面側へ捲くった状態で使用することが多く、そのような状態でリクライニングをすると前記枕部５が床に接触し汚れてしまうことがあり、また、使用後は、使用時の状態のまま放置されてしまうことがあるため、見栄えが悪くなり、購入意欲が損なわれてしまう場合がある。しかし、前記枕支持手段２６を備えることで、製品が汚れてしまい、見栄えが悪くなること、購入意欲が損なわれてしまうことを防ぐことができる。
【００３５】
また、前記枕部５に設けられた第一エアセル１４、１５及び第二エアセル１６、１７の膨張収縮動作と前記施療機構４の施療動作と、をそれぞれ組み合わせることによって、前記枕部５による頭部または首部のストレッチと前記施療機構４によるマッサージとのバリエーションに富んだマッサージを行うことができる。
【産業上の利用可能性】
【００３６】
本発明は、被施療者の頭部と枕部との接触面を変更することなく、身長（座高）に適した高さに枕部を移動させることができるマッサージ機に適用することができる。
【符号の説明】
【００３７】
背凭れ部  ３
枕部  ５
枕支持手段  ２６
【図１】
2017113251.tif 000003
【図２】
2017113251.tif 000004
【図３】
2017113251.tif 000005
【図４】
2017113251.tif 000006
【図５】
2017113251.tif 000007
【図６】
2017113251.tif 000008
【図７】
2017113251.tif 000009
【図８】
2017113251.tif 000010
【図９】
2017113251.tif 000011